(57)【特許請求の範囲】
【請求項１】
通信端末から供給された出力音声信号により表わされる音声の音量を変更して出力可能なスピーカーと、感知した音声を表わす入力音声信号を発生可能なマイクロホンとを備え、前記入力音声信号を増幅して入力音声信号出力端子から前記通信端末へ出力可能に構成されるとともに、前記通信端末にも電源供給可能な別体の電源装置から電源が供給可能な音声コミュニケーション端末装置であって、
前記マイクロホンから入力された入力音声信号を増幅して前記入力音声信号出力端子へ出力可能な入力音声信号増幅器と、 
前記音声コミュニケーション端末装置の接地電位部に接続され、前記通信端末の接地電位部に接続可能な接地電位端子と、
前記入力音声信号増幅器と前記入力音声信号出力端子との間に接続された第１コンデンサと、
前記音声コミュニケーション端末装置の接地電位部と前記接地電位端子との間に直列接続された第２コンデンサと、
前記入力音声信号増幅器と前記入力音声信号出力端子との間において前記第１コンデンサと直列に接続されたノイズ除去抵抗器と
を、含み、
前記通信端末は、前記音声コミュニケーション端末装置から入力された入力音声信号を増幅する通信端末側入力音声信号増幅器と、前記通信端末側入力音声信号増幅器の入力端子と電源部との間に設けられたプルアップ抵抗器とを備えており、
前記ノイズ除去抵抗器は、前記プルアップ抵抗器より高い抵抗値を有する
ことを特徴とする音声コミュニケーション端末装置。
【請求項２】
前記通信端末からの出力音声信号が供給される出力音声信号入力端子と、
前記出力音声信号入力端子へ入力される出力音声信号を増幅して前記スピーカーを駆動する出力音声信号増幅器と、
前記出力音声信号増幅器の一方の入力端子と前記出力音声信号入力端子との間に設けられた第３コンデンサと、
前記出力音声信号増幅器の他方の入力端子と前記接地電位端子との間に設けられた第４コンデンサと
を、含むことを特徴とする請求項１の音声コミュニケーション端末装置。
【請求項３】
前記入力音声信号出力端子と前記接地電位端子との間には、前記プルアップ抵抗器よりも高い抵抗値を有するプルダウン抵抗器が接続されていることを特徴とする請求項１または２の音声コミュニケーション端末装置。
【請求項４】
前記ノイズ除去抵抗器は、前記プルダウン抵抗器よりも大きい抵抗値を有することを特徴とする請求項３の音声コミュニケーション端末装置。
【発明の詳細な説明】
【技術分野】
【０００１】
本発明は、携帯電話機に接続された状態で用いられる音声コミュニケーション端末装置に関するものである。
【背景技術】
【０００２】
たとえば、特許文献１に記載されているように、通信端末の一種である携帯電話機から入力ポートに供給された音声信号により表わされる音声を拡大して出力するスピーカーと、入力された音声を表わす音声信号を出力ポートから携帯電話機へ出力するマイクロホンとを備え、音声会議などに用いられる音声コミュニケーション端末装置が知られている。
【０００３】
また、このような音声コミュニケーション端末装置は、それとは別体の電源装置たとえばパーソナルコンピュータのＵＳＢポートに接続されて、その電源装置から供給される電源により作動するものがある。また、その音声コミュニケーション端末装置が接続される通信端末も、上記の電源装置から供給される電力により動作が可能である。たとえばパーソナルコンピュータのＵＳＢポートに接続されてそれから電源供給を受けつつ使用される場合がある。
【先行技術文献】
【特許文献】
【０００４】
【特許文献１】米国特許第６，６３６，７５０Ｂ１
【発明の概要】
【発明が解決しようとする課題】
【０００５】
ところで、上記通信端末が音声コミュニケーション端末装置に電源供給している電源装置から電源供給を受けない場合は問題がないが、音声コミュニケーション端末装置および通信端末が共通の電源装置に接続されてそれから電源供給を受ける場合には、音声コミュニケーション端末装置から通信端末へ出力される音声信号にノイズが混入し、音声コミュニケーション端末装置から入力されて通信端末から送信される音声信号の音質が損なわれるという問題があった。
【０００６】
本発明は、以上の事情を背景として為されたものであって、その目的とするところは、音声コミュニケーション端末装置および通信端末が共通の電源装置に接続されてそれから電源供給を受ける場合でも、音声コミュニケーション端末装置から入力されて通信端末から送信される音声信号の音質が損なわれない音声コミュニケーション端末装置を提供することにある。
【課題を解決するための手段】
【０００７】
本発明者は、以上の事情を背景として種々検討を重ねた結果、音声コミュニケーション端末装置および通信端末が共通の電源装置に接続される場合には、音声コミュニケーション端末装置、通信端末および電源装置の間でループ状の接地電位ラインが形成されてそれを流れる環状の電流ループが生じているのではないかと考え、音声コミュニケーション端末装置内において通信端末と接続される部分に直流電流を遮断するコンデンサを設けた。しかしながら、この対策後においてもブーンという音が重畳して音質が十分に改善されないので、音声コミュニケーション端末装置の接地電位部と通信端末の接地電位部或いはそれに接続された音声コミュニケーション端末装置の接地電位端子との間の電位差を観測すると、数百Ｈｚ程度の周期的な波形を観測した。一方で、音声コミュニケーション端末装置の接地電位部と通信端末の音声信号入力端子との間にはこのような波形は見られなかった。これにより、本発明者は、音声コミュニケーション端末装置の入力音声信号増幅器の出力端子に比較的高抵抗値の抵抗器を追加することで、通信端末の入力音声信号入力端子側のノイズを変化させないことにより、その通信端末の入力音声信号入力端子と接地電位部との間の電位差として取り出される音声信号からノイズが除去されるのではないかと考えて、音声コミュニケーション端末装置内においてその入力音声信号出力端子と直列に比較的抵抗値の高い抵抗器を接続してみると、その音声信号出力端子にも前記周期的な波形と同様の波形が重畳され、通信端末から送信される音声信号の音質が損なわれないという事実を見いだした。本発明は斯かる知見に基づいて為されたものである。
【０００８】
すなわち、本発明の要旨とするところは、（ａ）通信端末から供給された出力音声信号により表わされる音声の音量を変更して出力可能なスピーカーと、感知した音声を表わす入力音声信号を発生可能なマイクロホンとを備え、前記入力音声信号を増幅して入力音声信号出力端子から前記通信端末へ出力可能に構成されるとともに、前記通信端末にも電源供給可能な別体の電源装置から電源が供給可能な音声コミュニケーション端末装置であって、（ｂ）前記マイクロホンから入力された入力音声信号を増幅して前記入力音声信号出力端子へ出力可能な入力音声信号増幅器と、（ｃ）前記音声コミュニケーション端末装置の接地電位部に接続され、前記通信端末の接地電位部に接続可能な接地電位端子と、（ｄ）前記入力音声信号増幅器と前記入力音声信号出力端子との間に接続された第１コンデンサと、（ｅ）前記音声コミュニケーション端末装置の接地電位部と前記接地電位端子との間に接続された第２コンデンサと、（ｆ）前記入力音声信号増幅器と前記入力音声信号出力端子との間において前記第１コンデンサと直列に接続されたノイズ除去抵抗器とを、含み、（ｇ）前記通信端末は、前記音声コミュニケーション端末装置から入力された入力音声信号を増幅する通信端末側入力音声信号増幅器と、前記通信端末側入力音声信号増幅器の入力端子と電源部との間に設けられたプルアップ抵抗器とを備えており、（ｈ）前記ノイズ除去抵抗器は、前記プルアップ抵抗器より高い抵抗値を有することにある。
【発明の効果】
【０００９】
本発明の音声コミュニケーション端末装置によれば、前記入力音声信号増幅器と前記入力音声信号出力端子との間に接続された第１コンデンサと、前記音声コミュニケーション端末装置の接地電位部と前記接地電位端子との間に接続された第２コンデンサとが設けられているので、ループ状の接地ラインが遮断される。また、前記入力音声信号増幅器と前記入力音声信号出力端子との間において前記第１コンデンサと直列にノイズ除去抵抗器が接続されていることから、入力音声信号出力端子にも、前記音声コミュニケーション端末装置の接地電位部と通信端末の接地電位部すなわちそれに接続された音声コミュニケーション端末装置の接地電位端子との間の周期的な波形と同様の波形が重畳されるので、接地電位端子と入力音声信号出力端子との間の電位差として取り出されて通信端末へ出力される音声信号にはノイズが除去され、通信端末から送信される音声信号の音質が損なわれなくなる。
また、本発明によれば、前記通信端末は、前記音声コミュニケーション端末装置から入力された入力音声信号を増幅する通信端末側入力音声信号増幅器と、前記通信端末側入力音声信号増幅器の入力端子と電源部との間に設けられたプルアップ抵抗器とを備えており、前記ノイズ除去抵抗器は、前記プルアップ抵抗器より高い抵抗値を有するものである。このため、入力音声信号出力端子に発生する音声信号以外の波形が、前記音声コミュニケーション端末装置の接地電位部と通信端末の接地電位部すなわちそれに接続された音声コミュニケーション端末装置の接地電位端子との間の周期的な波形と同様の波形とされる利点がある。
【００１０】
ここで、好適には、前記通信端末から出力音声信号が供給される出力音声信号入力端子と、前記出力音声信号入力端子へ入力される出力音声信号を増幅して前記スピーカーを駆動する出力音声信号増幅器と、前記出力音声信号増幅器の一方の入力端子と前記出力音声信号入力端子との間に設けられた第３コンデンサと、前記出力音声信号増幅器の他方の入力端子と前記接地電位端子との間に設けられた第４コンデンサとを、含む。このようにすれば、通信端末と音声コミュニケーション端末装置と電源装置との間に形成される環状の接地ラインが遮断される利点がある。
【００１１】
また、好適には、前記ノイズ除去抵抗器は、前記プルアップ抵抗器の３〜１００倍の抵抗値を有する。
【００１２】
また、好適には、前記入力音声信号出力端子と前記接地電位端子との間には、プルアップ抵抗器よりも高い抵抗値を有するプルダウン抵抗器が接続されている。このようにすれば、前記携帯側入力音声信号増幅器の入力側に設けられたプルアップ抵抗器からの直流電流がカットされることが防止されて前記携帯側入力音声信号増幅器の入力電圧がその電源電位から引き下げられるので、通信端末にはコンデンサマイクが接続されているのと同等の認識をさせることができる。また、好適には、前記プルダウン抵抗器は前記プルアップ抵抗器よりも大きい値たとえば２〜１０倍の抵抗値を有している。これにより、通信端末の入力音声信号入力端子の電圧の低下が防止されて他のコマンドと混同されることが防止される。
【００１３】
また、好適には、前記ノイズ除去抵抗器は、前記プルダウン抵抗器よりも大きい抵抗値を有する。このようにすれば、入力音声信号出力端子に発生する音声以外の波形が、前記音声コミュニケーション端末装置の接地電位部と通信端末の接地電位部すなわちそれに接続された音声コミュニケーション端末装置の接地電位端子との間の周期的な波形と同様の波形とされる。好適には、前記ノイズ除去抵抗器は、前記プルダウン抵抗器の２〜１０倍の抵抗値を有する。
【図面の簡単な説明】
【００１４】
【図１】本発明の音声コミュニケーション端末装置の一実施例を示す斜視図である。
【図２】図１の音声コミュニケーション端末装置およびそれが接続されるパーソナルコンピュータおよび携帯電話機の回路構成の要部を説明する回路図である。
【図３】ノイズ除去抵抗器を設けた場合に、上段に示す接地接続線Ｌ２に発生している波形ＷＬ２を、下段に示す入力音声信号線Ｌ１に発生している波形ＷＬ１と対比して示す図である。
【図４】ノイズ除去抵抗器を設けない場合に、上段に示す接地接続線Ｌ２に発生している波形ＷＬ２を、下段に示す入力音声信号線Ｌ１に発生している波形ＷＬ１と対比して示す図である。
【発明を実施するための形態】
【００１５】
以下、本発明の一実施例を、図面を参照しつつ詳細に説明する。
【実施例】
【００１６】
図１および図２において、音声コミュニケーション端末装置１０は、薄型のケース１２と、そのケース１２の前面に配置されたスピーカー１４およびマイクロホン１６と、そのケース１２の側面に配置されたＵＳＢコネクタ１８ｕａ、スピーカーおよびマイクロホン用コネクタ２２とを備える。音声コミュニケーション端末装置１０は、電源装置として機能するパーソナルコンピュータ（以下、パソコンという）２４のＵＳＢコネクタ２４ｕａからＵＳＢケーブル３７を介して上記ＵＳＢコネクタ１８ｕａへ電源供給を受ける。音声コミュニケーション端末装置１０は、携帯電話機２６からコネクタ２２に供給されたアナログ波形である出力音声信号ＳＳにより表わされる音声を拡大してスピーカー１４から出力する。音声コミュニケーション端末装置１０は、マイクロホン１６に入力された音声を表わすアナログ波形である入力音声信号ＳＭをコネクタ２２から携帯電話機２６へ出力する。また、携帯電話機２６は、音声コミュニケーション端末装置１０と接続されて電話会議に用いられるときなどは比較的長時間にわたって使用されるため、図２に示すように上記パソコン２４の他のＵＳＢコネクタ２４ｕｂから電源供給を受けることができる。
【００１７】
図２は、音声コミュニケーション端末装置１０、パソコン２４、および携帯電話機２６の回路構成の要部を示している。図２において、パソコン２４は、商用電源から調圧したたとえば５Ｖ程度の一定のバス電圧Ｖｂｕｓを出力するＵＳＢ用電源２８と、そのＵＳＢ用電源２８に接続された少なくとも２つのＵＳＢコネクタ２４ｕａおよびＵＳＢコネクタ２４ｕｂとを備える。パソコン２４は、音声コミュニケーション端末装置１０および携帯電話機２６の直流電源装置としても機能している。それらのＵＳＢコネクタ２４ｕａおよび２４ｕｂは、図示しないシリアルデータバス端子などの他、ＵＳＢ用電源２８に接続されたＶｂｕｓ端子とパソコン２４の回路内のＧＮＤラインに接続されたＧＮＤ端子とを、それぞれ備えている。
【００１８】
携帯端末の一例である携帯電話機２６は、たとえばタッチパネルディスプレイを介して操作可能であり且つインターネットアクセス可能な多機能携帯電話機などである。携帯電話機２６は、上記ＵＳＢコネクタ２４ｕｂのＶｂｕｓ端子およびＧＮＤ端子とＵＳＢケーブル２８を介して接続されるＶｂｕｓ端子およびＧＮＤ端子を有する。携帯電話機２６は、ＵＳＢ用電源２８のバス電圧Ｖｂｕｓを内部回路の電源部すなわち正電源ラインＶ２６の電源電圧Ｅ１として供給するＵＳＢコネクタ２６ｕｂを備えている。ＵＳＢコネクタ２６ｕｂのＶｂｕｓ端子は携帯電話機２６の内部回路の正電源ラインＶ２６に接続される。ＵＳＢコネクタ２６ｕｂのＧＮＤ端子は携帯電話機２６の内部回路の接地電位部Ｇ２６に接続されている。また、携帯電話機２６は、音声コミュニケーション端末装置１０からコネクタ３４に入力された入力音声信号ＳＭを増幅して信号処理回路３０へ供給する携帯側（通信端末側）入力音声信号増幅器３２と、信号処理回路３０から出力される出力音声信号ＳＳを増幅してコネクタ３４を介して音声コミュニケーション端末装置１０へそれぞれ送信する一対の出力音声信号増幅器３６Ｌおよび３６Ｒとを備えている。信号処理回路３０は、上記携帯側入力音声信号増幅器３２から供給された入力音声信号ＳＭをＡ／Ｄ変換してデジタル化するとともに圧縮処理を行い、図示しないアンテナから送信するために所定の搬送周波数に変調する。また、信号処理回路３０は、アンテナで受信した信号を復調することにより得られた圧縮信号を連続的なデジタル信号に変換する。信号処理回路３０は、このデジタル信号をＤ／Ａ変換してアナログ化した出力音声信号ＳＳＬおよびＳＳＲを上記出力信号増幅器３６Ｌおよび３６Ｒへそれぞれ出力する。なお、携帯電話機２６の携帯側入力音声信号増幅器３２の入力端子と電源部Ｖ２６との間には２．２ｋΩ程度のプルアップ抵抗器Ｒｕが設けられている。
【００１９】
携帯電話機２６と音声コミュニケーション端末装置１０とは、被覆電線３８により着脱可能に接続されている。被覆電線３８は、入力音声信号ＳＭを伝送する信号線３８ａ、出力音声信号ＳＳＬおよびＳＳＲをそれぞれ伝送する信号線３８ｂおよび信号線３８ｃ、ＧＮＤ線３８ｄを含む。被覆電線３８の両端には、携帯電話機２６のコネクタ３４と音声コミュニケーション端末装置１０のコネクタ２２とにそれぞれ差し込む図示しないコネクタが備えられる。携帯電話機２６のコネクタ３４は、信号線３８ａに接続されるＩＮ端子、信号線３８ｂおよび信号線３８ｃに接続されるＯＵＴ−Ｌ端子およびＯＵＴ−Ｒ端子、およびＧＮＤ線３８ｄに接続されるＧＮＤ端子を備えている。コネクタ２２は、上記信号線３８ａ、３８ｂおよび３８ｃ、ＧＮＤ線３８ｄにそれぞれ着脱可能に接続される入力音声信号出力端子２２ａ、出力音声信号入力端子２２ｂ、２２ｃおよび接地電位端子２２とを備える。コネクタ３４は、上記信号線３８ａ、３８ｂ、３８ｃ、ＧＮＤ線３８ｄにそれぞれ着脱可能に接続される入力音声信号入力端子３４ａ、出力音声信号出力端子３４ｂ、３４ｃおよび接地電位端子３４ｄを備えている。
【００２０】
音声コミュニケーション端末装置１０のＵＳＢコネクタ１８ｕａのＶｂｕｓ端子およびＧＮＤ端子は、パソコン２４のＵＳＢコネクタ２４ｕａのＶｂｕｓ端子およびＧＮＤ端子とＵＳＢケーブル３７を介して接続される。ＵＳＢコネクタ１８ＵａのＶｂｕｓ端子およびＧＮＤ端子は、ＵＳＢ用電源２８のバス電圧Ｖｂｕｓを音声コミュニケーション端末装置１０の内部回路の電源部すなわち正電源ラインＶ１０の電源電圧Ｅ１の電源として供給する。電源電圧Ｅ１は、バス電圧Ｖｂｕｓそのままであるか、或いは、バス電圧Ｖｂｕｓを電源として電源電圧Ｅ１および中間電圧Ｅ２（Ｅ２＜Ｅ１）を発生させる電圧変換器を介して出力される。ＵＳＢコネクタ１８ｕａのＶｂｕｓ端子は音声コミュニケーション端末装置１０の内部回路の正電源ラインＶ１０に接続される。ＵＳＢコネクタ１８ｕａのＧＮＤ端子は音声コミュニケーション端末装置１０の内部回路の接地電位部Ｇ１０に接続されている。音声コミュニケーション端末装置１０の内部回路には、電源電圧Ｅ１に基づいてその電源電圧Ｅ１の半分程度の電位である中間電圧Ｅ２を出力する第２電源部すなわち第２電源ラインＶ１１が設けられている。なお、パソコン２４、携帯電話機２６、音声コミュニケーション端末装置１０の接地電位部Ｇ１０は、アースされている訳ではなく各機器の基準電位を示している。
【００２１】
音声コミュニケーション端末装置１０は、携帯電話機２６から供給された出力音声信号ＳＳＬおよびＳＳＲを増幅してその出力音声信号ＳＳＬおよびＳＳＲが表わす音声を比較的大きな音量でスピーカ１４から出力させるための音声出力回路４０と、ループ状の接地ラインに起因して発生するノイズを除去しつつ、マイクロホン１６から入力された音声を表わす入力音声信号ＳＭを増幅して携帯電話機２６へ入力するための音声入力回路４２を備えている。音声出力回路４０は、差動増幅器４４Ｌと、差動増幅器４４Ｒと、加算器４６とを備えている。差動増幅器４４Ｌは、ＧＮＤ線３８ｄに第４コンデンサＣ４および抵抗器Ｒａを介して接続され且つ抵抗器Ｒｂを介して電源電圧Ｅ１の半分程度の中間電圧Ｅ２を発生させる中間電圧ラインに接続された正入力端子と、信号線３８ｂに第３コンデンサＣ３および入力抵抗器Ｒ１を介して直列接続された負入力端子とを有し、出力端子と負入力端子との間にフィードバック抵抗器Ｒｆを有する。差動増幅器４４Ｒは、ＧＮＤ線３８ｄに第４コンデンサＣ４および入力抵抗器Ｒａを介して直列接続され且つ抵抗器Ｒｂを介して電源電圧Ｅ１の半分程度の中間電圧Ｅ２を発生させる中間電圧ラインに接続された正入力端子と、信号線３８ｃに第３コンデンサＣ３および入力抵抗器Ｒ１を介して直列接続された負入力端子とを有し、出力端子と負入力端子との間にフィードバック抵抗器Ｒｆを有する。加算器４６は、それら差動増幅器４４Ｌおよび４４Ｒからの出力音声信号ＳＳＬおよびＳＳＲを加算して出力音声信号ＳＳをスピーカー１４へ出力する。差動増幅器４４Ｌおよび差動増幅器４４Ｒは、オペアンプを差動モ−ドの増幅器として構成したものであり、たとえばＲａ＝Ｒ１≒１ｋΩ、Ｒｂ＝Ｒｆ≒１ｋΩである。
【００２２】
音声コミュニケーション端末装置１０の音声入力回路４２は、マイクロホン１６から入力された音声を表わす入力音声信号ＳＭを負入力端子に受けてそれを増幅して出力端子から信号線３８ａへ出力する逆相型の増幅器５０を備えている。この増幅器５０は、オペアンプの負入力端子とマイクロホン１６との間に設けられた入力抵抗器Ｒ１と、オペアンプの出力端子と負入力端子との間に接続された帰還抵抗器Ｒｆと、オペアンプの出力端子とＧＮＤラインとの間に接続されて増幅出力特性を調節するための調整抵抗器Ｒｔとを備える逆相増幅器である。
【００２３】
音声コミュニケーション端末装置１０において、増幅器５０の出力端子と信号線３８ａに接続された入力音声信号線Ｌ１との間には、たとえば１μＦ程度の第１コンデンサＣ１と、たとえば１００ｋΩ程度の抵抗値を有するノイズ除去抵抗器Ｒｎとが、直列に介挿されている。また、音声コミュニケーション端末装置１０の接地電位部Ｇ１０と接地電位端子２２ｄとの間の接地接続線Ｌ２には、第２コンデンサＣ２と比較的低い抵抗値たとえば１００Ω以下好適には数Ω以下の調整抵抗器Ｒ０１が介挿される。また、接地電位部Ｇ１０と接地電位端子２２ｄとの間には、それら第２コンデンサＣ２および調整抵抗器Ｒ０１と並列となるように、たとえば１００ｋΩ程度の電位安定用抵抗器Ｒ０２が接続されている。そして、上記入力音声信号線Ｌ１と接地接続線Ｌ２との間には、プルアップ抵抗器Ｒｕよりも大きな抵抗値たとえば１０ｋΩ程度の抵抗値を有するプルダウン抵抗器Ｒｄが接続されている。
【００２４】
プルアップ抵抗器Ｒｕ、プルダウン抵抗器Ｒｄ、およびノイズ除去抵抗器Ｒｎの抵抗値は、Ｒｕ＜Ｒｄ＜Ｒｎの関係にある。ノイズ除去抵抗器Ｒｎは、音声コミュニケーション端末装置１０側の入力音声増幅器５０と携帯側入力音声信号増幅器３２との間を高インピーダンスとして切り離すことで、入力音声信号線Ｌ１には、たとえば図３に示すように接地接続線Ｌ２に発生しているものと同様の周期的波形を同期し且つ同様の振幅となるように発生させる効果を得るためのものである。ノイズ除去抵抗器Ｒｎは、携帯側入力音声信号増幅器３２に供給される入力音声信号ＳＭのゲインが損なわれない範囲で高い値に設定される。また、要求される音声品質により定められる。
【００２５】
図３は、プルアップ抵抗器Ｒｕが２．２ｋΩ、プルダウン抵抗器Ｒｄが１０ｋΩ、ノイズ除去抵抗器Ｒｎの抵抗値が１００ｋΩである場合の波形を示している。図３の上段は接地接続線Ｌ２に発生している波形ＷＬ２を示す。図３の下段は入力音声信号線Ｌ１に発生している波形ＷＬ１を示している。このような場合は、携帯側入力音声信号増幅器３２に入力される入力音声信号ＳＭは、接地接続線Ｌ２と入力音声信号線Ｌ１との間の電位差波形である。従って、上記波形ＷＬ２および波形ＷＬ１の差分しか携帯側入力音声信号増幅器３２の出力端子から出力されず、ノイズが相殺される。因みに、図４は、ノイズ除去抵抗器Ｒｎの抵抗値が０Ωである場合の波形を示している。この場合は、入力音声信号線Ｌ１に発生している波形ＷＬ１が平坦であるので、携帯側入力音声信号増幅器３２の出力端子から出力される入力音声信号ＳＭには、上記接地接続線Ｌ２に発生している波形ＷＬ２が重畳し、携帯電話機２６から出力される音声には耳触りなノイズが混入する。
【００２６】
本発明者の実験によれば、ノイズ除去抵抗器Ｒｎの抵抗値は、プルアップ抵抗器Ｒｕの３〜１００倍、プルダウン抵抗器Ｒｄの２〜１０倍の値であればよく、絶対値で言えば、２０ｋΩ〜１０ＭΩの範囲内の比較的高い値に設定される。
【００２７】
また、プルダウン抵抗器Ｒｄは、携帯側入力音声信号増幅器３２の入力端子のＤＣ端子電圧すなわち交流の入力音声信号ＳＭの動作点電圧を正電源ラインＶ２６の電源電圧Ｅ１から引き下げて、携帯側入力音声信号増幅器３２から出力される波形の歪みを除去するとともに、携帯電話機２６が他のコマンドの入力と誤判定しないようにする。このため、プルダウン抵抗器Ｒｄの抵抗値は、たとえば４ｋΩ〜２０ｋΩすなわちプルアップ抵抗器Ｒｕの２〜１０倍の範囲内の値に設定される。
【００２８】
上述のように、本実施例の音声コミュニケーション端末装置１０によれば、入力音声信号増幅器５０と入力音声信号出力端子２２ａとの間に接続された第１コンデンサＣ１と、音声コミュニケーション端末装置１０の接地電位部Ｇ１０と接地電位端子２２ｄとの間に接続された第２コンデンサＣ２とが設けられているので、ループ状の接地ラインが遮断される。また、 入力音声信号増幅器５０と入力音声信号出力端子２２ａとの間において第１コンデンサＣ１と直列にノイズ除去抵抗器Ｒｎが接続されていることから、入力音声信号出力端子２２ａにも、音声コミュニケーション端末装置１０の接地電位部Ｇ１０と携帯電話機２６の接地電位部Ｇ２６すなわちそれに接続された音声コミュニケーション端末装置１０の接地電位端子２２ｄとの間の周期的な波形ＷＬ２と同様の波形が重畳されるので、接地電位端子２２ｄと音声信号出力端子２２ａとの間の電位差として取り出されて携帯電話機２６へ出力される音声信号にはノイズが除去され、携帯電話機２６から送信される音声信号の音質が損なわれなくなる。
【００２９】
また、本実施例の音声コミュニケーション端末装置１０によれば、携帯電話機２６から出力音声信号ＳＳＬおよびＳＳＲが供給される出力音声信号入力端子２２ｂ、２２ｃと、出力音声信号入力端子２２ｂ、２２ｃへ入力される出力音声信号ＳＳＬおよびＳＳＲを増幅してスピーカ１４を駆動する出力音声信号増幅器４４Ｌ、４４Ｒと、出力音声信号増幅器４４Ｌ、４４Ｒの一方の入力端子と出力音声信号入力端子２２ｂ、２２ｃとの間に設けられた第３コンデンサＣ３と、出力音声信号増幅器４４Ｌ、４４Ｒの他方の入力端子と接地電位端子２２ｄとの間に設けられた第４コンデンサＣ４とを備える。このため、携帯電話機２６と音声コミュニケーション端末装置１０と電源装置であるパソコン２４との間に形成される環状の接地ラインが遮断される利点がある。
【００３０】
また、本実施例の音声コミュニケーション端末装置１０によれば、携帯電話機２６は、音声コミュニケーション端末装置１０から入力された入力音声信号ＳＭを増幅する携帯側入力音声信号増幅器３２と、携帯側入力音声信号増幅器３２の入力端子と電源部Ｖ２６との間に設けられたプルアップ抵抗器Ｒｕとを備えており、ノイズ除去抵抗器Ｒｎは、プルアップ抵抗器Ｒｕより高い抵抗値を有するものである。このため、入力音声信号出力端子２２ａに発生する音声信号以外の波形が、音声コミュニケーション端末装置１０の接地電位部Ｇ１０と携帯電話機２６の接地電位部Ｇ２６すなわちそれに接続された音声コミュニケーション端末装置１０の接地電位端子２２ｄとの間の周期的な波形と同様の波形とされる。
【００３１】
また、本実施例の音声コミュニケーション端末装置１０によれば、入力音声信号出力端子２２ａと接地電位端子２２ｄとの間には、プルアップ抵抗器Ｒｕよりも高い抵抗値を有するプルダウン抵抗器Ｒｄが接続されている。このため、携帯側入力音声信号増幅器３２の入力側に設けられたプルアップ抵抗器Ｒｕからの直流電流がカットされることが防止されて携帯側入力音声信号増幅器３２の入力電圧がその電源部Ｖ２６の電位から引き下げられるので、携帯電話機２６にはコンデンサマイクが接続されているのと同等の認識をさせることができる。また、プルダウン抵抗器Ｒｄはプルアップ抵抗器Ｒｕよりも大きい値たとえば２〜１０倍の抵抗値を有している。このため、携帯電話機２６の入力音声信号入力端子３４ａの電圧の低下が防止されて他のコマンドと混同されることが防止される。
【００３２】
また、本実施例の音声コミュニケーション端末装置１０によれば、ノイズ除去抵抗器Ｒｎは、プルダウン抵抗器Ｒｄよりも大きい抵抗値を有する。このため、入力音声信号出力端子２２ａに発生する音声以外の波形が、音声コミュニケーション端末装置１０の接地電位部Ｇ１０と携帯電話機２６の接地電位部Ｇ２６すなわちそれに接続された音声コミュニケーション端末装置１０の接地電位端子２２ｄとの間の周期的な波形と同様の波形とされる。
【００３３】
以上、本発明の一実施例を図面に基づいて説明したが、本発明はその他の態様においても適用される。
【００３４】
たとえば、前述の実施例の光学式距離測定装置１０では、パソコン２４が音声コミュニケーション端末装置１０および携帯電話機２６の電源装置として用いられていたが、パソコン２４とは異なる他の機器が音声コミュニケーション端末装置１０および携帯電話機２６の電源装置として用いられてもよい。
【００３５】
また、前述の実施例では、２つの差動増幅器４４Ｌおよび４４Ｒからそれぞれ出力される出力音声信号ＳＳＬおよびＳＳＲが加算器４６により加算されてスピーカ１４へ供給されていたが、差動増幅器４４Ｌおよび４４Ｒの一方と加算器４６とが除去されても差し支えないし、加算器４６とが除去される替わりに差動増幅器４４Ｌおよび４４Ｒの出力端子に一対のスピーカ１４がそれぞれ接続されてもよい。
【００３６】
また、前述の実施例の被覆電線３８は、入力音声信号ＳＭを伝送する信号線３８ａ、出力音声信号ＳＳＬおよびＳＳＲをそれぞれ伝送する信号線３８ｂおよび信号線３８ｃと、共通のＧＮＤ線３８ｄとの４本の電線か構成されていたが、信号線と対にＧＮＤ線を設けた６本の電線から構成されてもよい。
【００３７】
また、前述の実施例では、通信端末として携帯電話機２６が用いられていたが、有線或いは無線の通信網、たとえば、インターネットなどを介して音声通信可能なパソコンや携帯型端末装置であればよい。
【００３８】
その他一々例示はしないが、本発明は当業者の知識に基づいて種々の変更、改良を加えた態様で実施することができる。
【符号の説明】
【００３９】
１０：音声コミュニケーション端末装置
１４：スピーカー
１６：マイクロホン
１８ｕａ：ＵＳＢコネクタ
２２ａ：入力音声信号出力端子
２２ｂ、２２ｃ：出力音声信号入力端子
２２ｄ：ＧＮＤ端子（接地電位端子）
２４：パソコン（電源装置）
２６：携帯電話機（通信端末）
３２：携帯側（通信端末側）入力音声信号増幅器
３４ａ：入力音声信号入力端子
３４ｂ、３４ｃ：出力音声信号出力端子
３４ｄ：ＧＮＤ端子（接地電位端子）
３６Ｌ、３６Ｒ：出力音声信号増幅器
４４Ｌ、４４Ｒ：出力音声信号増幅器
５０：入力音声信号増幅器
Ｒｎ：ノイズ除去抵抗器
Ｒｕ：プルアップ抵抗器
Ｒｄ：プルダウン抵抗器
Ｃ１：第１コンデンサ
Ｃ２：第２コンデンサ
Ｃ３：第３コンデンサ
Ｃ４：第４コンデンサ
Ｖ１０：音声コミュニケーション端末装置の電源部
Ｇ１０：音声コミュニケーション端末装置の接地電位部
Ｖ２６：携帯電話機の電源部
Ｇ２６：携帯電話機の接地電位部
【図１】
0005958033.tif 000002
【図２】
0005958033.tif 000003
【図３】
0005958033.tif 000004
【図４】
0005958033.tif 000005